(57)【要約】【課題】水槽の前方への沈み込みを抑制し、ドアパッキンの変形を防止し振動を低減する。【解決手段】懸架装置は、緩衝装置７３の支持位置よりドラム前方側に配置し、水槽６４の前方部を上方且つ後方側へ向けて懸架支持する懸架装置Ａ７０と、緩衝装置７３の支持位置より前方に位置し、水槽６４の前方部且つ懸架装置Ａ７０より後方部を上方且つ前方側へ向けて懸架支持する懸架装置Ｂ７１とを構成したので、洗濯時に水槽６４前方が沈み込もうとする荷重を懸架装置Ａ７０、Ｂ７１の２本の合力にて支持することができ、ドラム６６および水槽６４の沈み込みによるドアパッキン８０の変形が防止され、外箱６０への異常振動伝達が防止される。【選択図】図１
2010069191.tif 000002
【特許請求の範囲】
【請求項１】
前方に開口する外箱開口部を備えた外箱と、前記外箱開口部を対向して開口する水槽開口部を有して前記外箱内に配設される水槽と、前記水槽開口部と対向して開口するドラム開口部を有して前記水槽に内包されるドラムと、前記ドラムを回転駆動する電動機と、前記水槽開口部と外箱開口部との間に水密的に連結した可撓性を有するドアパッキンと、前記水槽を前記外箱内に上方より垂下弾性支持する懸架装置と、前記水槽を前記外箱内下方より上方側へ向けて押上げ弾性支持する緩衝装置とを備え、前記懸架装置は、前記緩衝装置の支持位置よりドラム前方側に位置し、前記水槽の前方部を上方且つ後方側へ向けて懸架支持する懸架装置Ａと、前記緩衝装置の支持位置より前方に位置し、前記水槽の前方部且つ前記懸架装置Ａより後方部を上方且つ前方側へ向けて懸架支持する懸架装置Ｂと、を構成したドラム式洗濯機。
【請求項２】
懸架装置Ａおよび懸架装置Ｂは、各々に作用するドラム回転中心軸方向の張力の合力がほぼ０となるように設定した請求項１記載のドラム式洗濯機。
【請求項３】
懸架装置Ａおよび懸架装置Ｂは、前記懸架装置Ａがドラム回転中心軸と垂直軸のなす角度と、前記懸架装置Ｂがドラム回転中心軸と垂直軸のなす角度を、ほぼ等しくなるように設定した請求項１記載のドラム式洗濯機。
【請求項４】
懸架装置Ａおよび懸架装置Ｂは、同一形状に設定した請求項１〜３のいずれか１項に記載のドラム式洗濯機。
【請求項５】
懸架装置Ａおよび懸架装置Ｂは、水槽への取付けを、１つの共通部材としての取付け板を介して行う構成とした請求項１〜４のいずれか１項に記載のドラム式洗濯機。
【発明の詳細な説明】
【技術分野】
【０００１】
本発明は、外箱内に、回転ドラムを内包した水槽を弾性支持したドラム式洗濯機に関するものである。
【背景技術】
【０００２】
従来この種のドラム式洗濯機は、回転ドラムをその回転軸方向を水平方向あるいは水平方向からドラムの開口側に前上がりの傾斜方向にして収容した水槽が外箱内に配設されているのが一般的である。
【０００３】
このドラム式洗濯機の場合、洗濯物や給水された水が重力により下方に偏りがちとなり、回転ドラムの回転に伴う振動が発生しやすく、特に、回転ドラムを高速で回転させる脱水時に洗濯物が一方に偏った状態になっていると大きな振動が発生する。
【０００４】
このような振動が洗濯機外箱に伝わることを防止するために、回転ドラムを収容した水槽は上方より弾性支持する懸架装置と、下方より弾性支持する緩衝手段とを備え揺動自在に防振支持している（例えば、特許文献１参照）。
【０００５】
図４は、前記特許文献に記載された従来のドラム式洗濯機の縦断面図である。
【０００６】
図４に示すように前方に開口する外箱開口部４ａを備えた外箱４と、外箱開口部４ａを対向して開口する水槽開口部２１ａを有して外箱４内に配設される水槽２０と、水槽開口部２１ａと対向して開口するドラム開口部３４ａを有して水槽２０に内包されるドラム３４と、ドラム３４を回転駆動するモータ３６と、水槽２０を外箱４内に上方より弾性支持する懸架装置たるサスペンション５２、５４と、水槽２０を前記外箱内に下方より弾性支持する緩衝手段たるダンパー５０とを備えている。
【０００７】
サスペンション５２は水槽２０の前方部を上方且つ後方側へ向けて懸架支持し、サスペンション５４は水槽２０の後方部を上方且つ前方側へむけて懸架支持することで、洗濯時の水槽の姿勢を維持している。
【０００８】
また、水槽２０の水槽開口部２１ａと外箱開口部４ａとの間には、水密的に連結したゴム等の可撓性を有するドアパッキン２８を配し、水槽２０の振動を外箱４に伝えにくいようにしている。
【特許文献１】特開２００６−３１４５６２号公報
【発明の開示】
【発明が解決しようとする課題】
【０００９】
しかしながら、前記従来の構成では水槽の後方部を上方且つ前方側へ懸架支持することから、多量の洗濯物を前方側に多量投入された場合に、水を含んだ衣類が前方側に集まると、水槽後方を持ち上げようとする力（反時計回りの回動力）が発生し、水槽前方の沈み込みを助長する構成となっていた。その場合、ドアパッキンが大きく変形した状態で洗濯や脱水運転がなされた場合、水槽の動きが外箱への振動が強く伝達したり、ドアパッキンの屈曲が増大し破損等の不具合が発生する等の課題があった。
【００１０】
本発明は、前記従来の課題を解決するもので、水槽前方への沈み込みを抑制し、ドアパッキンの変形を防止することにより、洗濯や脱水時の外箱の振動を低減し、ドアパッキンの信頼性を高めたドラム式洗濯機を提供することを目的とする。
【課題を解決するための手段】
【００１１】
前記従来の課題を解決するために、本発明のドラム式洗濯機は、ドラムを回転自在に内包した水槽を外箱内に上方より垂下弾性支持する懸架装置と、前記水槽を前記外箱内下方より上方側へ向けて押上げ弾性支持する緩衝装置とを備え、前記懸架装置は、前記緩衝装置の支持位置よりドラムの前方側に位置し、前記水槽の前方部を上方且つ後方側へ向けて懸架支持する懸架装置Ａと、前記緩衝装置の支持位置より前方に位置し、前記水槽の前方部且つ懸架装置Ａより後方部を上方且つ前方側へ向けて懸架支持する懸架装置Ｂとを構成したものである。
【００１２】
これによって、洗濯時に水槽前方が沈み込もうとする荷重を懸架装置であるサスペンション２本の合力にて支持することができ、且つ従来の実施例にあったようなドラムの沈み込みを助長させるような力は発生しないことから、多量の洗濯物が投入されても水槽開口部と外箱開口部との間に水密的に連結したドアパッキンの異常変形を防止し、水槽の動きを外箱に異常伝達しないドラム式洗濯機を提供できる。
【発明の効果】
【００１３】
本発明のドラム式洗濯機は、洗濯時の水槽前方への沈み込みを抑制し、ドアパッキンの変形を防止することにより、運転時の外箱の振動を低減し、ドアパッキンの信頼性を高めることができる。
【発明を実施するための最良の形態】
【００１４】
第１の発明は、前方に開口する外箱開口部を備えた外箱と、前記外箱開口部を対向して開口する水槽開口部を有して前記外箱内に配設される水槽と、前記水槽開口部と対向して開口するドラム開口部を有して前記水槽に内包されるドラムと、前記ドラムを回転駆動する電動機と、前記水槽開口部と外箱開口部との間に水密的に連結した可撓性を有するドアパッキンと、前記水槽を前記外箱内に上方より垂下弾性支持する懸架装置と、前記水槽を前記外箱内下方より上方側へ向けて押上げ弾性支持する緩衝装置とを備え、前記懸架装置は、前記緩衝装置の支持位置よりドラム前方側に位置し、前記水槽の前方部を上方且つ後方側へ向けて懸架支持する懸架装置Ａと、前記緩衝装置の支持位置より前方に位置し、前記水槽の前方部且つ前記懸架装置Ａより後方部を上方且つ前方側へ向けて懸架支持する懸架装置Ｂと、を構成したことにより、多量の洗濯物がドラム内部前方に投入されても水槽の前方への沈み込みが抑制され、ドアパッキンの変形が防止され、水槽の振動が外箱に異常に伝達されることがなくなり、ドアパッキンの耐久性も向上する。
【００１５】
第２の発明は、特に、第１の発明の懸架装置Ａおよび懸架装置Ｂは、各々に作用するドラム回転中心軸方向の張力の合力がほぼ０になるように設定したことにより、水槽の姿勢を安定させ、脱水時の水槽の振動を低減させることができる。
【００１６】
第３の発明は、特に、第１の発明の懸架装置Ａと、記水槽の前方部且つ懸架装置Ａおよび懸架装置Ｂは、前記懸架装置Ａがドラム回転中心軸と垂直軸のなす角度と、前記懸架装置Ｂがドラム回転中心軸と垂直軸のなす角度を、ほぼ等しくなるように設定したことにより、水槽の振動方向を安定させることで、脱水時の水槽の振動を低減させることができる。
【００１７】
第４の発明は、特に、第１〜第３のいずれか１つの発明の懸架装置Ａおよび懸架装置Ｂは、同一形状に設定したことにより、部品点数の削減と使用間違いを防止することができる。
【００１８】
第５の発明は、特に、第１〜第４のいずれか１つの発明のドラム式洗濯機において、懸架装置Ａおよび懸架装置Ｂは、水槽への取付けを、１つの共通部材としての取付け板を介して行う構成としたことにより、懸架装置の取付け位置を自由に調整でき、機種展開による重心位置の変化や水槽の微調整に簡単に対応することができる。
【００１９】
以下、本発明の実施の形態について、図面を参照しながら説明する。なお、本実施の形態によって本発明が限定されるものではない。
【００２０】
（実施の形態１）
図１は、本発明の第１の実施の形態におけるドラム式洗濯機の縦断面図、図２は、同ドラム式洗濯機の懸架装置の構成を示す図、図３は、同ドラム式洗濯機の懸架装置の取付け構成詳細図を示すものである。
【００２１】
図１において、前方に開口する外箱開口部６１を備えた外箱６０内に、外箱開口部６１を対向して開口する水槽開口部６３を有して外箱６０内に弾性的に防振支持された水槽６４を配する。
【００２２】
水槽開口部６３と対向して開口するドラム開口部６５を有して水槽６４に回転自在に内包されるドラム６６は、内部に衣類６９を投入し水槽６４の外側面に固着した電動機６７に連結した回転軸６８にて回転駆動する。なお、回転軸６８及びドラム６６の回転中心軸９３（水槽を支持する方向軸でもある）は水平より傾斜させ、ドラム６６の開口部６５および水槽６４の水槽開口部６３が斜め上方を向いた斜めドラム構造を有する。
【００２３】
水槽６４は、外箱６０内に上方より弾性支持する懸架装置ＡたるサスペンションＡ７０と、懸架装置ＢたるサスペンションＢ７１とで弾性的に垂下防振支持されるとともに、外箱６０下方に構成した支持台７２に取り付けた緩衝装置たるダンパー７３にて、下方より弾性的に押し上げるように載置支持される。
【００２４】
なお、ダンパー７３は、図１では１つしか図示していないが、外箱６０内部の左右に２個構成して、垂直動作線９１は、水槽等の振動系全体の重心Ｇ９０に近接するように、水槽６４を支えている。
【００２５】
水槽６４の水槽開口部６３と外箱開口部６１との間には、開閉自在の蓋体８１の内方に構成した内扉８２と水封しつつ、かつ水密的に連結したゴム等の可撓性を有するドアパッキン８０を配し、水槽６４の振動を吸収し外箱６０に伝えにくいようにしている。
【００２６】
懸架装置ＡたるサスペンションＡ７０と、懸架装置ＢたるサスペンションＢ７１は、コイルバネ状に形成し、水槽６４の上面に固定した板金部材で構成した取付け板７７と外箱６０の上面の裏面内方に固着した支持板７５とに係着する。
【００２７】
その配置構成については、サスペンションＡ７０は、支持板７５の支持ピン７６と取付け板７７の係着部Ａ７８との間で引っ張り方向に水槽６４を時計回り方向に付勢し、一方、サスペンションＢ７１は、支持板７５の支持ピン７６と取付け板７７の係着部Ｂ７９との間で引っ張り方向に水槽６４を反時計回り方向に付勢しつつ、水槽６４を垂下防振支持する。
【００２８】
更に、前記サスペンションＡ７０、サスペンションＢ７１、支持ピン７６、係着部Ａ７８、係着部Ｂ７９の配置は、緩衝装置たるダンパー７３の動作線９１よりドラム６６前方側（ドラム開口部６５側）に位置させる。
【００２９】
上記のように、ダンパー７３の支持位置線９１よりドラム前方側に位置し、水槽６４の前方部を上方且つ後方側へ向けて懸架支持するサスペンションＡ７０と、ダンパー７３の支持動作位置より前方に位置し、水槽６４の前方部且つサスペンションＢ７１より後方部を上方且つ前方側へ向けて懸架支持する構成にしたので、衣類６９が重心Ｇ９０より前方に大きく偏在するように投入されても、サスペンションＡ７０およびサスペンションＢ７１の両方がともに水槽６４の動きに時計回り方向の反力を与えるので、水槽６４の前方への沈み込みを抑制され、ドアパッキン８０の異常変形が防止され。
【００３０】
上記のように、ドアパッキン８０の異常変形は解消されるので、耐久性が向上するとともに、水槽６４の振動が外箱６０に振動を異常伝達されるのを低減する事ができる。
【００３１】
図２の懸架装置の構成を示す図において、水槽６４の前方部を上方且つ後方側へ向けて懸架支持するサスペンションＡ７０の動作線上に作用する張力をＬとし、サスペンションＢ７１の動作線上に作用する張力をＲとし場合、それぞれの、ドラム６６の回転中心軸９３方向の分力をＬＨ，ＲＨとした場合、ＬＨ＝ＲＨ  と設定し、軸方向の張力が相殺されて、その合力がほぼ０になるようなばね構造にしている。
【００３２】
更に、水槽６４の前方部を上方且つ後方側へ向けて懸架支持するサスペンションＡ７０が水槽を支持するドラム６６の回転中心軸９３と垂直軸９８のなす角度をＭと、水槽６４を後方部を上方且つ前方側へ向けて懸架支持するサスペンションＢ７１が水槽を支持するドラム６６の回転中心軸９３と垂直軸９８のなす角度をＮとした場合、角度Ｍ＝角度Ｎと設定したものである。
【００３３】
上記のように、サスペンションＡ７０の張力と、サスペンションＢ７１との張力を回転軸９３方向張力の絶対値を同一で反対方向としたこと、および二つのバネのドラムの回転中心軸９３方向の動作角度を一致させたので、水槽６４の姿勢を安定させ、水槽６４の振動方向を安定させることができ、脱水時の水槽６４の振動を低減させることができる。
【００３４】
図３の懸架装置の取付け構成詳細図において、サスペンションＡ７０とサスペンションＢ７１の水槽６４への係止方法は、水槽６４の上面に一体形成した複数個のボス部９３にタッピングネジ９４にて固定した板金部材の取付け板７７の端部Ａ９５および端部Ｂ９６にばねのフック部を係止する。また、サスペンションＡ７０とサスペンションＢ７１を同一形状とする共通部品としている。
【００３５】
以上のように、水槽６４を懸架支持するサスペンションＡ７０とサスペンションＢ７１は、設計の自由度の大きい板金部材の取付け板７７を介して行うことで、サスペンションＡ７０とサスペンションＢ７１の取付け位置を自由に調整でき、機種展開による重心位置の変化や水槽の微調整に簡単に対応することができる。また、サスペンションＡ７０とサスペンションＢ７１とを共用化することにより、部品種類の削減による生産性の向上を図ることが出来るとともに、使用間違いを防止することができる。
【００３６】
以上のように、本発明にかかるドラム式洗濯機は、多量の洗濯物が偏って投入されても水槽の前方への沈み込みが抑制され、ドアパッキンの変形が防止され、水槽の振動が外箱に異常に伝達されることがなくなる構成を簡単かつ確実に実現できる。
【産業上の利用可能性】
【００３７】
以上のように、本発明にかかるドラム式洗濯機は、洗濯時の水槽前方への沈み込みを抑制し、ドアパッキンの変形を防止することにより、運転時の外箱の振動を低減し、ドアパッキンの信頼性を高めることができるので、外箱内に回転ドラムを内包した水槽を弾性支持したドラム式洗濯機等に適用できる。
【図面の簡単な説明】
【００３８】
【図１】本発明の実施の形態１におけるドラム式洗濯機の縦断面図
【図２】同ドラム式洗濯機の懸架装置の構成を示す図
【図３】同ドラム式洗濯機の懸架装置の取付け構成詳細図
【図４】従来のドラム式洗濯機の縦断面図
【符号の説明】
【００３９】
６０  外箱
６１  外箱開口部
６３  水槽開口部
６４  水槽
６５  ドラム開口部
６６  ドラム
６７  電動機
７０  懸架装置Ａ（サスペンションＡ）
７１  懸架装置Ｂ（サスペンションＢ）
７３  緩衝装置（ダンパー）
７７  取付け板
８０  ドアパッキン
【図１】
2010069191.tif 000003
【図２】
2010069191.tif 000004
【図３】
2010069191.tif 000005
【図４】
2010069191.tif 000006